(57)【要約】 【課題】  簡便で良好な操作性を有する生体情報モニタ装置を提供する。【解決手段】  入力手段１０から入力された生体情報が正常値にあるか異常値にあるかをＣＰＵ１１で判定し、異常値にあるとの判定結果を受けてＬＥＤ３から発せられた警告を、アラームカバー２を有するアラーム灯２０自体への医療従事者の接触により、マイクロスイッチ６をオンして停止させる。【選択図】  図２
2007215581.tif 000002
【特許請求の範囲】
【請求項１】
患者から検出された生体情報を入力する入力手段と、
前記入力手段から入力された生体情報が正常値にあるか異常値にあるかを判定する判定手段と、
前記判定手段による、異常値にあるとの判定結果を受けて警告を発する警告手段と、
前記警告手段による警告を停止させる警告停止手段とを備え、
前記警告停止手段が、前記警告手段による警告を発する警告部自体への操作者の接触あるいは接近により該警告を停止させるものであることを特徴とする生体情報モニタ装置。
【請求項２】
前記警告手段は、前記警告部を発光させることにより警告を発するものであることを特徴とする生体情報モニタ装置。
【請求項３】
前記入力手段が、１人の患者から検出された生体情報を入力する入力手段であることを特徴とする生体情報モニタ装置。
【請求項４】
前記入力手段が、各１人の患者から検出された生体情報を収集する複数のベッドサイドモニタから送信されてきた生体情報を入力する入力手段であることを特徴とする生体情報モニタ装置。
【発明の詳細な説明】
【技術分野】
【０００１】
本発明は、患者から検出された生体情報をモニタする生体情報モニタ装置に関する。
【背景技術】
【０００２】
従来より、集中治療室等で治療を受けている患者の状態を監視するための患者監視用装置として、生体情報モニタ装置が知られている。この生体情報モニタ装置では、患者に取り付けたセンサを経由して患者の脈波、脈拍数、血圧、呼吸数等の生体情報（バイタルサイン）をモニタし、モニタした生体情報が異常値にある場合に警告を発するということが行なわれる。
【０００３】
図５は、従来の生体情報モニタ装置の外観を示す図である。
【０００４】
図５に示す生体情報モニタ装置１０００の最上部には、内部にＬＥＤが配備されたアラームカバー２が備えられている。また、この生体情報モニタ装置１０００の画面上には、アラーム停止ボタン１ａが備えられている。この生体情報モニタ装置１０００は、患者の生体情報をモニタして生体情報が正常値にあるか異常値にあるかを判定し、生体情報が異常値にあると判定した場合は、アラームカバー２内に設けられたＬＥＤを発光させる。これにより、アラームカバー２自体が発光することとなり、医療従事者に向けて警告を行なう。アラームカバー２の発光による警告は、画面上に設けられたアラーム停止ボタン１ａを押すことにより停止することができる。
【０００５】
また、患者の容体に応じて音響的および可視的な警告のレベルを変更することにより、医療従事者の煩わしさを軽減することができる生体情報モニタ装置が提案されている（特許文献１参照）。
【特許文献１】特開２０００−２０１９００号公報
【発明の開示】
【発明が解決しようとする課題】
【０００６】
従来の生体情報モニタ装置では、一般に、警告を停止するための警告停止ボタンは、機構的，電気的，デザイン的な理由により、その生体情報モニタ装置の前面パネルに、他の入力手段とともに、赤色もしくはそれに類する色で目立つように設けられているものの、この警告停止ボタンは、例えば図５に示す生体情報モニタ装置１０００の画面上のアラーム停止ボタン１ａのように、警告ランプとしての役割を担うアラームカバー２とは離れた位置に設けられている。このため、従来の生体情報モニタ装置では、警告停止ボタンと警告ランプとの関連づけが希薄である。従って、不慣れな医療従事者は、警告を停止するための方法がわからずに戸惑ってしまったり、警告ランプそのものを叩いてしまったり、また急いでいるときに警告停止ボタンを強い力で押してしまい生体情報モニタ装置が傾いてしまうというような場合もあり、緊急時に医療従事者の感情をいたずらに逆なでしてしまうという問題がある。
【０００７】
本発明は、上記事情に鑑み、簡便で良好な操作性を有する生体情報モニタ装置を提供することを目的とする。
【課題を解決するための手段】
【０００８】
上記目的を達成する本発明の生体情報モニタ装置は、
患者から検出された生体情報を入力する入力手段と、
上記入力手段から入力された生体情報が正常値にあるか異常値にあるかを判定する判定手段と、
上記判定手段による、異常値にあるとの判定結果を受けて警告を発する警告手段と、
上記警告手段による警告を停止させる警告停止手段とを備え、
上記警告停止手段が、上記警告手段による警告を発する警告部自体への操作者の接触あるいは接近によりその警告を停止させるものであることを特徴とする。
【０００９】
本発明の生体情報モニタ装置は、患者から検出された生体情報が異常値にあるとの判定結果を受けて発せられた警告を停止させる警告停止手段が、その警告を発する警告部自体への操作者の接触あるいは接近によりその警告を停止させるものである。このため、操作者は、警告を停止するにあたり、その警告を発する警告部自体に接触あるいは接近すれば済む。従って、従来の生体情報モニタ装置と比較し、警告停止手段が生体情報モニタ装置のいずれの位置に設けられているのかを意識する必要もなく、不慣れな医療従事者でも簡単に警告を停止することができ、医療従事者のストレスを軽減することができる。
【００１０】
ここで、上記警告手段は、上記警告部を発光させることにより警告を発するものであることが好ましい。
【００１１】
このようにすると、患者から検出された生体情報が異常値にあるとの判定結果を受けて発せられた警告を即座に認識することができる。
【００１２】
また、上記入力手段が、１人の患者から検出された生体情報を入力する入力手段であることも好ましい態様である。
【００１３】
このようにすると、簡便で良好な操作性を有する本発明の生体情報モニタ装置を、患者の生体情報を検出するベッドサイドモニタとして提供することができる。
【００１４】
さらに、上記入力手段が、各１人の患者から検出された生体情報を収集する複数のベッドサイドモニタから送信されてきた生体情報を入力する入力手段であることも好ましい。
【００１５】
このようにすると、簡便で良好な操作性を有する本発明の生体情報モニタ装置を、ベッドサイドモニタから患者の生体情報の送信を受けて患者の生体情報を管理するセントラルモニタとして提供することができる。
【発明の効果】
【００１６】
本発明によれば、簡便で良好な操作性を有する生体情報モニタ装置を提供することができる。
【発明を実施するための最良の形態】
【００１７】
以下、本発明の実施の形態について説明する。
【００１８】
図１は、本発明の第１実施形態の生体情報モニタ装置の外観斜視図である。
【００１９】
図１に示す生体情報モニタ装置１００は、患者の生体情報を検出するベッドサイドモニタとして好適に用いられ、この生体情報モニタ装置１００を構成する本体１の上部には、アラームカバー２が備えられている。このアラームカバー２の内部には、後述するＬＥＤが配備されており、このアラームカバー２の、ＬＥＤの発光色や点滅の周期等から、心電図アラームや血圧アラームなど生体から発せられる生理学的なアラーム、あるいはセンサケーブル等の抜けなどの物理的アラームといったさまざまなアラーム（警告）が判別できるようになっている。
【００２０】
図２は、図１に示す生体情報モニタ装置のアラームカバー周辺の断面図である。
【００２１】
図２には、生体情報モニタ装置１００の、アラームカバー２を右側面から見た場合の内部構造が示されている。
【００２２】
図２に示す生体情報モニタ装置１００には、患者から検出された生体情報を入力する入力手段１０が備えられている。
【００２３】
また、この生体情報モニタ装置１００には、入力手段１０から入力された生体情報が正常値にあるか異常値にあるかを判定する判定手段の役割を担うＣＰＵ１１が備えられている。
【００２４】
さらに、この生体情報モニタ装置１００には、アラームカバー２の直下にこの紙面の奥行き方向に複数個配備されたＬＥＤ３（本発明にいう警告手段の一例に相当）が備えられている。尚、この図２では１つのＬＥＤ３のみ示されているが、実際には適切な光量および発色を得るために数個のＬＥＤが、この紙面の奥行き方向に並べて配備されている。これらのＬＥＤ３は、ＣＰＵ１１による、異常値にあるとの判定結果を受けて警告を発する。詳細には、これらのＬＥＤ３は、アラームカバー２およびＬＥＤ３からなるアラーム灯２０（本発明にいう警告部の一例に相当）を発光させることにより警告を発する。
【００２５】
また、この生体情報モニタ装置１００には、アラーム灯２０による警告を停止させるマイクロスイッチ６（本発明にいう警告停止手段の一例に相当）が備えられている。このマイクロスイッチ６は、アラーム灯２０自体への医療従事者の接触により、その警告を停止させる。
【００２６】
ＬＥＤ３は基板４に実装されており、この基板４はスペーサ５によって生体情報モニタ装置１００の本体１を構成する成型品である後ケース１ｂにネジ止めされている。また、アラームカバー２の後部は回転軸２ａによって回動自在に固定され、これによりアラームカバー２は前ケース１ａに接触しない範囲内で上下方向への微動が許される。アラームカバー２が手で押圧されるなどの理由でアラームカバー２の上部から下向きに力が加えられると、アラームカバー２が反時計方向に回動してマイクロスイッチ６がオンし、アラームカバー２およびＬＥＤ３からなるアラーム灯２０が押圧されたことがＣＰＵ１１に伝達され、これによりＣＰＵ１１はＬＥＤ３を消灯する。ここで、アラームカバー２を押圧していた手が離れるとねじりコイルバネ７の復元力によりアラームカバー２上のピン２ｂが上方向に押され、アラームカバー２は時計方向に押し戻され、マイクロスイッチ６が再びオフ状態になる。
【００２７】
第１実施形態の生体情報モニタ装置１００は、入力手段１０から入力された生体情報が正常値にあるか異常値にあるかをＣＰＵ１１で判定し、異常値にあるとの判定結果を受けてＬＥＤ３から発せられた警告を停止させるマイクロスイッチ６が、その警告を発するアラーム灯２０自体への医療従事者の接触によりその警告を停止させるものである。このため、医療従事者は、警告を停止するにあたり、そのアラーム灯２０自体に接触すれば済む。従って、あたかも目覚まし時計のごとき簡便さで良好な操作性を有する生体情報モニタ装置１００が提供されることとなり、不慣れな医療従事者でも簡単に警告を停止することができ、医療従事者のストレスを軽減することができる。
【００２８】
尚、ここでは、１つのねじりコイルバネ７および１つのピン２ｂを備えた例で説明したが、アラームカバー２の形状によっては複数備えてもよい。また、マイクロスイッチ６を複数備え、ＣＰＵ１１との間に論理回路を介在させ、確実にアラームカバー２が押されているか否かの判定をＣＰＵ１１に行なわせてもよい。
【００２９】
次に、本発明の第２実施形態の生体情報モニタ装置について説明する。
【００３０】
図３は、本発明の第２実施形態の生体情報モニタ装置のアラームカバー周辺の断面図である。
【００３１】
尚、第２実施形態の生体情報モニタ装置の外観斜視図は、前述した図１に示す生体情報モニタ装置１００の外観斜視図と同じであるため、図示省略する。
【００３２】
図３には、生体情報モニタ装置２００の、アラームカバー２を正面から見た場合の内部構造が示されている。生体情報モニタ装置２００を構成するアラームカバー２の直下には、ＬＥＤ３ａ，３ｂ，３ｃ，３ｄ（本発明にいう警告手段の他の一例に相当）が備えられている。これらのＬＥＤ３ａ，３ｂ，３ｃ，３ｄは、アラームカバー２およびＬＥＤ３ａ，３ｂ，３ｃ，３ｄからなるアラーム灯３０（本発明にいう警告部の他の一例に相当）を発光させることにより警告を発する。また、ＬＥＤ３ａ，３ｂとＬＥＤ３ｃ，３ｄとの間には、アラーム灯３０自体への医療従事者の接近により警告を停止させるセンサユニット３１（本発明にいう警告停止手段の他の一例に相当）が備えられている。
【００３３】
ＬＥＤ３ａ，３ｂ，３ｃ，３ｄおよびセンサユニット３１は、基板４に実装されており、この基板４は生体情報モニタ装置２００の本体を構成する成型品である後ケース１ｂにネジ止めされている。ここで、センサユニット３１は、内部で２個の焦電型赤外線センサが逆直列接続されてなる構成であり、周囲の赤外線の状態の変化に対して敏感に反応する。
【００３４】
また、基板４の裏面にはオペアンプＩＣ３２、タイマＩＣ３３などをはじめとする、以下に説明する図４に示す回路部品が実装されている。
【００３５】
図４は、図３に示すセンサユニットからの信号をＣＰＵに向けて出力するための増幅およびレベル変換回路を示す図である。
【００３６】
センサユニット３１からの信号は初段の増幅器４１のオペアンプ４１ａの非反転入力端子に導かれ、ここで初段の増幅がなされる。さらに、カップリングコンデンサを介して増幅器４２のオペアンプ４２ａの反転増幅端子に導かれ、次段の増幅がなされる。センサユニット３１からの信号は微分出力であるため、増幅器４１，４２同士がコンデンサ結合されていても信号が失われることはない。また、センサユニット３１の出力は微弱であるが、各段（増幅器４１，４２）にはおよそ３２デシベルのゲインがあるため、これら２段の増幅器４１，４２によりデジタル信号処理するのに十分なレベルにまで増幅される。このように増幅されたセンサ出力信号はオペアンプ４３ａおよびオペアンプ４３ｂから構成されるウィンドコンパレータ４３に入力され、パルス信号となる。このようにウィンドコンパレータ４３を通してパルスとなった信号は、最後にタイマ４４ａによって構成されるワンショット回路４４により、固定幅のパルスに整形される。こうして最終的に整形されたセンサ出力信号はＣＰＵ１１に入力され、ＣＰＵ１１はトランジスタ１２をオフして、ＬＥＤ３ａ，３ｂ，３ｃ，３ｄを消灯する。
【００３７】
第２実施形態の生体情報モニタ装置２００は、入力手段１０から入力された生体情報が正常値にあるか異常値にあるかをＣＰＵ１１で判定し、異常値にあるとの判定結果を受けてＬＥＤ３ａ，３ｂ，３ｃ，３ｄから発せられた警告を停止させるセンサユニット３１が、アラーム灯３０自体への医療従事者の接近によりその警告を停止させるものである。このため、医療従事者は、警告を停止するにあたり、そのアラーム灯３０自体に接近すれば済む。従って、不慣れな医療従事者でも簡単に警告を停止することができ、医療従事者のストレスを軽減することができる。
【００３８】
尚、上述した第２実施形態では、警告を発するＬＥＤ３ａ，３ｂ，３ｃ，３ｄを消灯するにあたり、アラーム灯３０に手が接近した際にこれを非接触で検出する検出手段として焦電型赤外線センサの例で説明したが、輝度センサや距離センサなど他の検出手段を用いても同様に実現することができる。
【００３９】
また、第１実施形態および第２実施形態では、本発明を、患者の生体情報を検出するベッドサイドモニタに適用した場合について説明したが、ベッドサイドモニタから患者の生体情報の送信（有線あるいは無線）を受けて患者の生体情報を管理するセントラルモニタにも適用できることはいうまでもない。いずれも、本発明の思想の範囲内で自由に変更が可能である。
【図面の簡単な説明】
【００４０】
【図１】本発明の第１実施形態の生体情報モニタ装置の外観斜視図である。
【図２】図１に示す生体情報モニタ装置のアラームカバー周辺の断面図である。
【図３】本発明の第２実施形態の生体情報モニタ装置のアラームカバー周辺の断面図である。
【図４】図３に示すセンサユニットからの信号をＣＰＵに向けて出力するための増幅およびレベル変換回路を示す図である。
【図５】従来の生体情報モニタ装置の外観を示す図である。
【符号の説明】
【００４１】
１  生体情報モニタ装置の本体
１ａ  前ケース
１ｂ  後ケース
２  アラームカバー
２ａ  回転軸
２ｂ  ピン
３，３ａ，３ｂ，３ｃ，３ｄ  ＬＥＤ
４  基板
６  マイクロスイッチ
７  ねじりコイルバネ
１０  入力手段
１１  ＣＰＵ
１２  トランジスタ
２０，３０  アラーム灯
３１  センサユニット
３２  オペアンプＩＣ
３３  タイマＩＣ
４１，４２  増幅器
４１ａ，４２ａ，４３ａ，４３ｂ  オペアンプ
４３  ウィンドコンパレータ
４４  ワンショット回路
４４ａ  タイマ
１００，２００  生体情報モニタ装置
【図１】
2007215581.tif 000003
【図２】
2007215581.tif 000004
【図３】
2007215581.tif 000005
【図４】
2007215581.tif 000006
【図５】
2007215581.tif 000007